(57)【要約】      （修正有）【課題】携帯送受信機と供に携帯電話を持ち出して使用することを可能とすることで、使用時における利便性を向上させ、さらには車内やオフィッスでも容易に充電することができる送受信機能付き眼鏡及び携帯送受信機を提供する。【解決手段】送受信機能付き眼鏡は、かかる眼鏡に送受信用アンテナ、イヤホン、収縮及びフレキシブルマイク、発着スイッチ、ボリューム、バッテリーチェッカー、電源、緊急１１０番発信スイッチを装着したことを特徴とする。また前記眼鏡のテンプルフレームにイヤホンに変わる骨伝動装置を設置し、さらに、携帯電話を装着させる携帯送受信機であって、前記携帯送受信機に、固定用アジャスター、アンテナ、予備電源、充電接続部、予備電源バッテリーチェッカーとを備えた。また前記携帯送受信機に、充電接続部を介して接続充電する、ＡＣ電源と車搭載ＤＣ電源を備えた充電ユニットを装着した。【選択図】図１
2007174612.tif 000002
【特許請求の範囲】
【請求項１】
携帯送受信機からの情報を送受信する眼鏡であって、かかる眼鏡に送受信用アンテナ、イヤホン、収縮及びフレキシブルマイク、発着スイッチ、ボリューム、バッテリーチェッカー、電源、緊急１１０番発信スイッチを装着したことを特徴とする送受信機能付き眼鏡。
【請求項２】
前記眼鏡のテンプルフレームにイヤホンに変わる骨伝動装置を設置した請求項１記載の送受信機能付き眼鏡
【請求項３】
携帯電話を装着させる携帯送受信機であって、前記携帯送受信機に、固定用アジャスター、アンテナ、予備電源、充電接続部、予備電源バッテリーチェッカーとを備えたことを特徴とする携帯送受信機。
【請求項４】
前記携帯送受信機に、異なる機種の携帯電話に対応できる変換機能を設けた請求項３記載の携帯送受信機。
【請求項５】
前記携帯送受信機に、緊急１１０番発信機能を設けた請求項３および４記載の携帯送受信機。
【請求項６】
前記携帯送受信機に、充電接続部を介して接続充電する、ＡＣ電源と車搭載ＤＣ電源を備えた充電ユニットを装着した請求項３乃至５記載のいずれか一項記載の携帯送受信機。
【請求項７】
前記充電ユニットに、ＡＣ電源と車搭載ＤＣ電源の切り替えを行う切替スイッチを装着した請求項６記載の携帯送受信機。
【発明の詳細な説明】
【技術分野】
【０００１】  本発明は、携帯電話の送受信を車内、オフィス、街角等で安全かつ気軽にできると共に、視覚、聴覚に障害を持つ方が、より安全に生活できるパートナーとしての機能を有する。又何らかの緊急的トラブルに遭遇した時の為に管轄の１１０番にそれとなく通信できる機能、ＴＶ受信、インターネット受信、ＴＶ電話等の電力消耗の激しい物へ、連続使用時間を延ばす機能を有する。又車内やオフィッスでも容易に充電することができる為のＡＣ電源とＤＣ電源の切り替え機能を有する。インターネット受信や記録メディアの充実で、デジタルプレイヤー等を別に持ち歩く必要性が無い送受信機能付き眼鏡及び携帯送受信機に関する。
【背景技術】
【０００２】  近年、携帯電話が広く普及するに及び、自動車の運転中に運転者が携帯電話を使用することが往々にしてある。自動車を運転中に携帯電話を使用すると、運転者は片手で自動車の運転操作を行うことになり、このような運転操作はしばしば交通事故の原因となる。そのため、このような問題を解決するためのメガネが開示されている（例えば、特許文献１参照）。
【特許文献１】実用新案登録第３０７３０７３号公報（第１頁、図１）
また、上記特許文献１の問題点を解決すると供に多くの付属機能を持たせた無線対話式ヘッドセットがある（例えば、特許文献２参照）。【特許文献２】  特表２００５−５３４２６９号公報（第１頁、図１）
【発明の開示】
【発明が解決しようとする課題】
【０００３】  上掲特許文献１のメガネは、フレームに携帯電話のマイクロフォンと携帯電話のスピーカーとを備えたことを特徴とする。しかし、マイクとスピーカーがメガネのフレームに装着されているため、携帯電話からの受信や基本的な通話は可能であるが、スイッチや電源が具備されておらず、使用時における利便性に欠けるという問題が生じた。また、使用中に携帯電話の電池切れが生じた際、通話や着信が不能になるという欠点もあった。【０００４】  上掲特許文献２では上記特許文献１問題点を解決すると供に多くの付属機能を持たせた。特に音声の録再、映像の保存当は特筆である。しかし眼鏡本体への依存が多く商品化に伴うデザイン性、重量バランス、連続使用時間、操作の複雑化などの弊害が発生している。又安全重視かつ緊急連絡、障害者擁護には至っていない。あらゆる電子機器の機能を安全かつ便利に使うための消費電力の管理には触れていない。【０００５】  また電子機器において電力管理は実質使用状態において最大の問題と成る。又簡単に操作できる事と、安全性を高める付属商品としての一番の解決しなければならない点である。又昨今の犯罪や、事故、災害などの緊急事態に携帯電話が繋がらない、又は操作に手間取り、連絡できない等の問題点も解決する必要が有る。又障害者の緊急連絡等に使えるようにする為にも、専用の電波帯及び警察専用電波帯に又は１１０番に連絡できる。又電話会社、光ケーブル会社、警備会社等の民間会社で登録した機関で受送信でき警察に連絡する。又半径５０〜５００メートル以内、好ましくは発信源を特定するために１００メートル以内において、携帯送受信機との専用送受信機能付き眼鏡を使用者にＳＯＳメッセージを送れる機能等も考えて置く必要が有る。【０００６】  そこで本発明は、上記した従来技術の問題点を解消し、車内、オフィス、街角等で受信できると供に、緊急時に１１０番発信機能を備え、携帯送受信機と供に携帯電話を持ち出して使用することを可能とすることで、連続使用時間を向上させ、さらには車内やオフィスでも容易に充電することができる送受信機能付き眼鏡及び携帯送受信機を提供することにある。
【課題を解決するための手段】
【０００７】  上記課題を解決するために、本発明の送受信機能付き眼鏡は、携帯送受信機からの情報を送受信する眼鏡であって、かかる眼鏡に送受信用アンテナ、イヤホン、収縮及びフレキシブルマイク、発着スイッチ、ボリューム、バッテリーチェッカー、電源、緊急１１０番発信スイッチを装着したことを特徴とする。また前記眼鏡のテンプルフレームにイヤホンに変わる骨伝動装置を設置した。【０００８】  また携帯電話を装着させる携帯送受信機であって、かかる携帯送受信機に、固定用アジャスター、アンテナ、予備電源、充電接続部、予備電源バッテリーチェッカーとを備えた。また前記携帯送受信機に異なる機種の携帯電話に対応できる変換機能を設けた。また前記携帯送受信機に、緊急１１０番発信機能を設けた。また前記携帯送受信機に、充電接続部を介して接続充電するＡＣ電源と車搭載ＤＣ電源を備えた充電ユニットを装着した。さらに前記充電ユニットに、ＡＣ電源と車搭載ＤＣ電源の切り替えを行う切替スイッチを装着した。
【発明の効果】
【０００９】  眼鏡に受信用アンテナ、イヤホン、収縮及びフレキシブルマイク、発着スイッチ、ボリューム、バッテリーチェッカー、電源、緊急１１０番発信スイッチを装着したことで、眼鏡を装着した状態で携帯電話からの情報を着信し、運転中においても安全に、且つ、容易に通話を行うことができる。また装着された発着スイッチを操作することで、発着の切り替えも可能となる。また眼鏡のテンプルフレームに骨伝動装置を設置したタイプでは、聴覚障害者であっても気軽に通話を行うことができる。さらに緊急１１０番発信スイッチ付けることで、視覚障害者の緊急呼び出しや、災害、事故、犯罪等の緊急事態時の簡単な連絡が出来る。【００１０】  また携帯送受信機は、固定用アジャスター、アンテナ、予備電源、充電接続部、予備電源バッテリーチェッカー、異なる機種の携帯電話に対応できる変換機能、緊急１１０番発信機能とで構成され、さらに前記携帯送受信機に、ＡＣ電源と車搭載ＤＣ電源の切り替えを備える充電ユニットを装着したことで、車内やオフィッスでも手軽に充電することができ利便性が高まる。前記充電ユニットに、眼鏡に装着された電池を充電タイプとした際、かかる電池を充電する専用ケーブルを装着したことで、さらに高い利便性が得られる。また携帯送受信機と供に携帯電話を持ち出して使用することで消費電力の大きいＴＶ、インターネット、ＴＶ電話が気軽に使用できる。
【発明を実施するための最良の手段】
【００１１】  以下、本発明における受信機能付き眼鏡及び携帯送受信機の実施の形態を図面に基づいて説明する。
図１に示す本考案の受信機能付き眼鏡１は、汎用の度付レンズやサングラスを始め、バイク用ゴーグルや、一般的なメガネの上に装着される大型のゴーグル等に幅広く使用されるもので、レンズ２、レンズフレーム３、テンプルフレーム４、耳掛け部５とで形成されている。
【００１２】  また特に、前記受信機能付き眼鏡１の耳掛け部５先端には、接続部６を介して携帯電話Ａからの音声情報を聴取するイヤホン７または骨伝動装置１４が設置されている。また前記イヤホン７は両耳掛け部５に設置してもよい。そのことにより、例えば携帯電話Ａに音楽、テレビ、ラジオ等の情報を発信する専用機種を備えた場合、音楽等をステレオ状態で受信することができる。さらに、前記イヤホン７に替わり骨伝動装置１４を設置した場合、外部の騒音を気にせず快適に通話を行うことができると供に、聴覚障害の方でも気軽に使用できる。
【００１３】  またレンズフレーム３の略中央部分には電池８を収容する電源ボックス９が、また電源ボックス９の近傍にはアンテナ１０とバッテリーチェッカー１５が配設されている。さらには、レンズフレーム３の前方には発着スイッチ１１が、また発着スイッチ１１の下方にはマイク１２が設置されている。かかるマイク１２は収縮及びフレキシブルにし音を拾い易くする。さらには、テンプルフレーム４にはボリューム１３が設置されている。又テンプルフレーム４には、緊急１１０番発信スイッチ４０が設置されている。
【００１４】  携帯送受信機２０は図２及び図３に示すように、送受信機本体２１と、送受信機本体２１の両側面に具備された携帯電話Ａを保持する固定用アジャスター２２と、収納自在のアンテナ２３と、裏面に装着された予備電源２４、充電接続部２５と、フック２６と、連結フック収納部２８とで構成されている。また前記携帯送信機２０と携帯電話Ａとは充電プラグ２７により連結されている。
【００１５】  また携帯送受信機に、異なる機種の携帯電話に対応できる変換機能が具備されている。かかる変換機能は、各携帯電話会社により、夫々異なる周波数に対応できる特性を有することで、機種の異なるメーカーの携帯電話機を使えることができる。また前記携帯送信機２０と携帯電話Ａとは、充電プラグ２７により連結され、かかる充電プラグ２７により充電及び変換機能を行うことができる。また変換機能は携帯送受信機２０内の基板２９に備えられている。
【００１６】また前記携帯送受信機２０に緊急１１０番発信機能を設けた。緊急１１０番発信機能は、緊急１１０番発信は専用の電波帯及び警察専用電波帯に又は１１０番に連絡することを可能とする。又電話会社、光ケーブル会社、警備会社等の民間会社で登録した機関で受送信でき警察に連絡する。また半径５０〜５００メートル以内、好ましくは発信源を特定するために１００メートル以内において、携帯送受信機２０との専用送受信機能付き眼鏡１へ使用者にＳＯＳメッセージを送ることができる。また、前記緊急１１０番発信機能は、方押しの誤作動を防ぐために、フレーム上部と下部に設置された緊急発信スイッチ４０を同時に押す事でワンタッチ発信できる。また、ＧＰＳ付カーナビとのリンク機能を付けることでＳＯＳ発信源場所を特定する事が出来る。なお、緊急１１０番発信機能は携帯送受信機２０内の基板２９に備えられている。
【００１７】  また前記携帯送受信機２０の底部には、充電ユニット３０が装着されている。かかる充電ユニット３０は、携帯送受信機２０の充電接続部２５と接続される充電接続部３１と、ＡＣ電源３２又は車搭載ＤＣ電源３３と、それらの電源を切り替える切替スイッチ４１とが備えられている。また前記充電ユニット３０には、携帯送受信機２０のフック２６を配設するフック収納部３４と、連結フック３５が設置されている。さらに、前記充電ユニット３０の裏面には、両面テープ３６と緩衝用ゴム３７が装着されている。なお、専用ケーブル３８の先端部３９を送受信機能付き眼鏡１の接続部６に繋ぐ事で充電ができる
【００１８】  次に、本発明における送受信機能付き眼鏡及び携帯送受信機の使用方法を図４に基づいて説明する。
図４においては、車を運転中に使用する状態を示すもので、先ず受信機能付き眼鏡１を通常のメガネのように掛ける。次に充電ユニット３０を装着した携帯送受信機２０に携帯電話Ａを固定し、充電ユニット３０のＤＣ電源３３のプラグを車輌挿孔に嵌入する。この状態で携帯電話Ａに着信があった場合、携帯送受信機２０のアンテナ２３からの電波を眼鏡のアンテナ１０がキャッチする。その後、眼鏡の発着スイッチ１１を入れ耳掛け部５のイヤホン７を耳に装着して通常のように会話をする。会話が終了したら、スイッチ１１を切り、耳からイヤホン７を取り外す。なお、イヤホン７は常時耳に装着していてもよい。また骨伝動タイプはこの煩わしさもない。
【００１９】  また車から降りる際は、携帯送受受信機２０と供に携帯電話Ａを持ち出して使用することができるため、途中で会話を切らなくてもよい。なお、本考案における送受信機能付き眼鏡及び携帯送受信機は、携帯送受信機２０を携帯電話Ａのホルダーとすることで、車内はもちろん、オフィッスや街角でも受信することができる。またＡＣ電源３２または車搭載ＤＣ電源３３を備えることで、車内やオフィッスでも簡単に充電することができる。さらに、建築現場や作業中の急な受信にもコードを気にせずに安全に対応することができる。又ＴＶ放送や、インターネット、ＴＶ電話等の消費電力の大きい物も予備電源が搭載されている為気軽に使える。
【図面の簡単な説明】
【００２０】
【図１】本発明による送受信機能付き眼鏡の全体図である。
【図２】携帯送受信機に携帯電話を装着した状態である。
【図３】携帯送受信機と充電ユニットの全体斜視図である。
【図４】使用状態を示す側面図である。
【符号の説明】
【００２１】１    送受信機能付き眼鏡
２    レンズ
３    レンズフレーム
４    テンプルフレーム
５    耳掛け部
６    接続部
７    イヤホン
８    電池
９    電源ボックス
１０  アンテナ
１１  発着スイッチ
１２  収縮及びフレキシブルマイク
１３  ボリューム
１４  骨伝動装置
１５  バッテリーチェッカー
２０  携帯送受信機
２１  送信機本体
２２  固定用アジャスター
２３  アンテナ
２４  予備電源
２５  充電接続部
２６  フック
２７  充電プラグ
２８  連結フック収納部
３０  充電ユニット
３１  充電接続部
３２  ＡＣ電源
３３  ＤＣ電源
３４  フック収納部
３５  連結フック
３６  両面テープ
３７  緩衝用ゴム
３８  専用ケーブル
３９  先端部
４０  緊急１１０番発信スイッチ
４１  切替スイッチ
Ａ    携帯電話
【図１】
2007174612.tif 000003
【図２】
2007174612.tif 000004
【図３】
2007174612.tif 000005
【図４】
2007174612.tif 000006